(57)【要約】【課題】分割フロア同士を確実に連結すると同時に、壁パネルの位置出しと止水部材の固定を行うことができるシステムバスルームの分割フロア連結構造を提供すること。【解決手段】複数に分割された洗い場側フロア１と浴槽側フロア２（分割フロア）の各縦面部３，４を突き合わせ、その突き合わせ部をビス５によって締結することによって両分割フロア１，２同士を連結するシステムバスルームの分割フロア連結構造において、前記各洗い場側フロア１と浴槽側フロア２の端部に形成された水平な壁建て面９上に、レール状部材１０を、両分割フロア１，２の突き合わせ部に跨がって固定し、該レール状部材１０上に壁パネルを凹凸嵌合によって取り付けるとともに、レール状部材の一側部に止水部材を長さ方向に沿って固定する。【選択図】図１
2005179907.tif 000002
【特許請求の範囲】
【請求項１】
複数に分割された分割フロアの各縦面部を突き合わせ、その突き合わせ部を締結することによって両分割フロア同士を連結するシステムバスルームの分割フロア連結構造において、
前記各分割フロアの端部に形成された水平な壁建て面上に、レール状部材を、両分割フロアの突き合わせ部に跨がって固定し、該レール状部材上に壁パネルを凹凸嵌合によって取り付ることを特徴とするシステムバスルームの分割フロア連結構造。
【請求項２】
前記レール状部材を、その上側から複数のビスによって前記両分割フロアの壁建て面上に固定することを特徴とする請求項１記載のシステムバスルームの分割フロア連結構造。
【請求項３】
前記レール状部材の一側部に止水部材を長さ方向に沿って固定することを特徴とする請求項１又は２記載のシステムバスルームの分割フロア連結構造。
【請求項４】
前記止水部材を凹凸嵌合によって前記レール状部材の内側面に固定することを特徴とする請求項３記載のシステムバスルームの分割フロア連結構造。
【請求項５】
前記各分割フロアの端部に形成された水平な壁建て面上に、シーリング用溝兼ドリルガイドとして機能する凹溝を直線状に形成したことを特徴とする請求項１〜４の何れかに記載のシステムバスルームの分割フロア連結構造。
【発明の詳細な説明】
【技術分野】
【０００１】
本発明は、システムバスルームの分割フロア連結構造に関するものである。
【背景技術】
【０００２】
システムバスルームの構成の一形態として、図７に示すように、フロアを洗い場側フロア１０１と浴槽側フロア１０２に２分割し、両分割フロア１０１，１０２の各縦面部１０３，１０４を突き合わせ、その突き合わせ部をビス１０５によって締結することによって両分割フロア１０１，１０２同士を連結する形態が採用されている。
【０００３】
一方、ユニットバスへの壁パネルの取付構造として、図８に示すように、ユニットバスの端部に形成された水平な壁建て面１０９上にレール状部材１１０を固定し、該レール状部材１１０上に壁パネル１１３を凹凸嵌合によって取り付ける構成は知られている（例えば、特許文献１〜３参照）。
【０００４】
【特許文献１】実開昭６２−１８７０４６号公報
【特許文献２】実開平４−１３７５７号公報
【特許文献３】実開平４−４３６３５号公報
【発明の開示】
【発明が解決しようとする課題】
【０００５】
ところで、近年、システムバスルームにおいては、フロアは低床化の傾向にあり、フロア底面が上方向に上がってきている。又、小サイズのシステムバスルームの場合には、フロアの面積は小さく、点検口等のスペースが所狭しと並んでいるのが実情である。
【０００６】
従って、図７に示したように２分割された洗い場側フロア１０１と浴槽側フロア１０２とを突き合わせてビス１０５によって両者を連結する構成では、浴槽側フロア１０２の凸状の点検口１０６部分に電動ドリルＴが当たるため、一番端の部分Ｘをビス止めしづらく、又、作業性が悪いという問題があった。
【０００７】
又、図９に示すように、浴槽側フロア２０２の縦面部と一体に点検口部２０６が形成されているような場合にも、図示のＹ位置をビス止めすることができないという問題があった。
【０００８】
本発明は上記問題に鑑みてなされたもので、その目的とする処は、分割フロア同士を確実に連結すると同時に、壁パネルの位置出しと止水部材の固定を行うことができるシステムバスルームの分割フロア連結構造を提供することにある。
【課題を解決するための手段】
【０００９】
上記目的を達成するため、請求項１記載の発明は、複数に分割された分割フロアの各縦面部を突き合わせ、その突き合わせ部を締結することによって両分割フロア同士を連結するシステムバスルームの分割フロア連結構造において、前記各分割フロアの端部に形成された水平な壁建て面上に、レール状部材を、両分割フロアの突き合わせ部に跨がって固定し、該レール状部材上に壁パネルを凹凸嵌合によって取り付けることを特徴とする。
【００１０】
請求項２記載の発明は、請求項１記載の発明において、前記レール状部材を、その上側から複数のビスによって前記両分割フロアの壁建て面上に固定することを特徴とする。
【００１１】
請求項３記載の発明は、請求項１又は２記載の発明において、前記レール状部材の一側部に止水部材を長さ方向に沿って固定することを特徴とする。
【００１２】
請求項４記載の発明は、請求項３記載の発明において、前記止水部材を凹凸嵌合によって前記レール状部材の内側面に固定することを特徴とする。
【００１３】
請求項５記載の発明は、請求項１〜４の何れかに記載の発明において、前記各分割フロアの端部に形成された水平な壁建て面上に、シーリング用溝兼ドリルガイドとして機能する凹溝を直線状に形成したことを特徴とする。
【発明の効果】
【００１４】
本発明によれば、各分割フロアの端部に形成された水平な壁建て面上に、レール状部材を、両分割フロアの突き合わせ部に跨がって固定したため、ビス等の締結具による固定が不可能であった各フロアの端部がレール状部材によって確実に連結される。
【００１５】
そして、レール状部材上に壁パネルを凹凸嵌合によって取り付けることによって該壁パネルの位置出しを同時に行うことができるとともに、レール状部材の一側部に止水部材を固定して止水処理も同時に行うことができる。
【発明を実施するための最良の形態】
【００１６】
以下に本発明の実施の形態を添付図面に基づいて説明する。
【００１７】
図１は本発明に係る分割フロア連結構造を示す部分斜視図、図２は同部分平面図、図３は図２のＡ−Ａ線断面図、図４は図２のＢ−Ｂ線断面図、図５は壁パネルを取り付けた状態の断面図、図６はレール状部材と止水部材の断面図である。
【００１８】
図１及び図２において、１，２はシステムバスルームの２分割された洗い場側フロア、浴槽側フロアであり、これらは樹脂にて凹状に一体に成形されている。そして、これらは、各縦面部３，４を突き合わせ、その突き合わせ部を複数のビス５（図１には１本のみ図示）によって締結することによって連結一体化されている。
【００１９】
ところで、浴槽側フロア２の一側端の前記縦面部４に近い部位には、上方が開口する点検口６が側壁７及び底面８と一体に形成されているため、この点検口６が邪魔となって両フロア１，２の縦面部３，４の一番端の部分Ｘをビス止めすることができないという問題があったことは前述の通りである。
【００２０】
そこで、本実施の形態では、前記各分割フロア１，２の縦面部３，４を除く周壁７の上端外周縁に形成された水平な壁建て面９上に、中空状のレール状部材１０を、両分割フロア１，２の突き合わせ部に跨がって固定する構成を採用した。
【００２１】
即ち、洗い場側フロア１と浴槽側フロア２の左右両側壁７（図には一方の図示）の上端外周縁に形成された水平な壁建て面９上には、図２及び図４に示すように、シーリング用溝兼ドリルガイドとしての凹溝１１が長さ方向（図２の上下方向）に一直線状に形成されており、前記レール状部材１０は、凹溝１１を上から覆うように、且つ、両分割フロア１，２の突き合わせ部に跨がって壁建て面９上にセットされる。尚、このとき、凹溝１１内には予めシーリング剤が充填されている。
【００２２】
ここで、前記レール状部材１０は、アルミニウムの押出し成形によって図６に示すような断面形状の中空状に形成され、その幅方向中央部には凸部１０ａが長さ方向に一体に形成されている。又、レール状部材１０の内側面（洗い場側フロア１と浴槽側フロア２の内面側）には、内側方に開口する嵌合凹部１０ｂが形成されている。
【００２３】
又、レール状部材１０の凸部１０ａには、図１及び図２に示すように、複数の円孔１０ｃが長さ方向に適当なピッチで形成されており、その円孔１０ｃの真下のレール状部材１０の底面には小径の円孔１０ｄが形成されている（図６参照）。ここで、一方の円孔１０ｃの大きさはビス１２の頭部が通過することができる程度の大きさに設定され、他方の円孔１０ｄの大きさはビス１２の軸部は通過するが、頭部は通過し得ない程度の大きさに設定されている。
【００２４】
而して、図１〜図３に示すように、洗い場側フロア１と浴槽側フロア２の壁建て面９上にレール状部材１０が両分割フロアの突き合わせ部に跨がってセットされると、該レール状部材１０の凸部１０ａに形成された各円孔１０ｃからビス１２を上からレール状部材１０内に挿入し、そのビス１２をレール状部材１０の底面に形成された小径の円孔１０ｄに差し込む。そして、不図示の電動ドリルを用いてビス１２を壁建て面９にねじ込むことによってレール状部材１０が壁建て面９上に固定される。尚、このとき、洗い場側フロア１と浴槽側フロア２の壁建て面９上には前述のように凹溝１１が形成されているため、この凹溝１１がビス１２をねじ込むときのドリルのガイドとなってビス１２の位置決めを正確に行うことができる。
【００２５】
又、上述のように、壁建て面９上に直線状に形成された凹溝１１がビス１２をねじ込むときのドリルのガイドとなるため、レール状部材１０を壁建て面９上の凹溝１１に沿って真っ直ぐに位置決めして正確に取り付けることができる。
【００２６】
以上のビス１２によるレール状部材１０の壁建て面９上への固定が長さ方向に亘って終了すると、レール状部材１０は、洗い場側フロア１と浴槽側フロア２の突き合わせ部に跨がって壁建て面９上に固定されることとなるため、浴槽側フロア２の点検口６が邪魔となって両フロア１，２の縦面部３，４の一番端の部分Ｘをビス止めすることができなくても、その部分の近傍をレール状部材１０によって確実に連結することができるため、２分割された洗い場側フロア１と浴槽側フロア２を両者の縦面部３，４同士を突き合わせて確実に接合一体化することができる。尚、前述のように、洗い場側フロア１と浴槽側フロア２の壁建て面９上に形成された凹溝１１内には予めシーリング材が充填されているため、このシーリング材のシール作用によって壁建て面９とレール状部材１０との間の隙間からの水の漏洩が確実に防がれる。
【００２７】
以上のようにして洗い場側フロア１と浴槽側フロア２とが連結一体化されると、図５に示すようにレール状部材１０の上に矩形板状の壁パネル１３を凹凸嵌合に垂直に取り付ける。ここで、壁パネル１３は、例えば矩形板状の保温材の両面を厚さ３〜５ｍｍの薄い矩形板状の表面化粧板と裏面板でサンドイッチ状に挟み込んで接着することによって構成されており、その下端面の幅方向中央に形成された凹部１３ａをレール状部材１０の凸部１０ａに上から嵌め込むことによって、正確に位置決めされながら垂直に取り付けられる。このとき、図５に示すように、壁パネル１３の下面に形成された凹部１３ａのレール状部材１０の凸部１０ａへの嵌合によって生じた両者間の空間には止水材１５が充填されており、この止水材１５の止水効果によって水の壁パネル１３外への漏洩が確実に防がれる。
【００２８】
以上のように、洗い場側パネル１と浴槽側パネル２の壁建て面９上にレール状部材１０との凹凸嵌合によって立設されると、レール状部材１０の内側面に形成された嵌合凹部１０ｂに止水部材１４を嵌め込んで壁パネル１３とレール状部材１０及び分割フロア１，２との境を覆い隠してその部分の外観性を高める。
【００２９】
ここで、図６に示すように、止水部材１４は樹脂にて一体成形され、表に見える表面側は長さ方向に沿って長い薄板状の部材１４ａで構成され、その裏面には、レール状部材１０の嵌合凹部１０ｂに嵌合するギボシ状の嵌合突起１４ｂが一体に形成されている。従って、止水部材１４は、その嵌合突起１０ｂをレール状部材１０の嵌合凹部１０ｂに嵌め込むことによって簡単にレール状部材１０の内側面に取り付けられ、前述のように、壁パネル１３とレール状部材１０及び分割フロア１，２との境を覆い隠してその部分の外観性を高める。尚、図５に示すように、レール状部材１０の内面側段部と壁パネル１３の下面及び止水部材１４とで囲まれる空間には、シーリング材１６が充填され、このシーリング材１６のシール作用によってレール状部材１０と壁パネル１３との間の隙間からの水の漏洩が確実に防がれる。
【００３０】
以上のように、本実施の形態においては、各分割フロア１，２の端部に形成された水平な壁建て面９上に、レール状部材１０を、両分割フロア１，２の突き合わせ部に跨がって固定したため、ビスによる固定が困難で作業性が悪い各フロア１，２の端部（図１及び図２のＸ部分）がレール状部材１０によって確実に連結される。又、従来はビスによる固定が不可能であった図９に示すＹ部分も、本実施の形態の構成によれば、レール状部材１０を用いて確実に締結することができる。
【００３１】
そして、レール状部材１０上に壁パネル１３を凹凸嵌合によって取り付けることによって該壁パネル１３の位置出しを同時に行うことができるとともに、レール状部材１０の一側部に止水部材１４を固定して止水処理も同時に行うことができる。
【産業上の利用可能性】
【００３２】
本発明は、複数に分割された分割フロアの各縦面部を突き合わせ、その突き合わせ部をビスによって締結することによって両分割フロア同士を連結するシステムバスルームの分割フロア連結構造に適用することによって、分割フロア同士を確実に連結すると同時に、壁パネルの位置出しと止水部材の固定を行うことができるという効果を得ることができる。
【図面の簡単な説明】
【００３３】
【図１】本発明に係る分割フロア連結構造を示す部分斜視図である。
【図２】本発明に係る分割フロア連結構造を示す部分平面図である。
【図３】図２のＡ−Ａ線断面図である。
【図４】図２のＢ−Ｂ線断面図である。
【図５】壁パネルを取り付けた状態の断面図である。
【図６】レール状部材と止水部材の断面図である。
【図７】従来の分割フロア連結構造を示す部分斜視図である。
【図８】従来の壁パネルの取付構造を示す断面図である。
【図９】従来の分割フロア連結構造を示す部分斜視図である。
【符号の説明】
【００３４】
１          洗い場側フロア（分割フロア）
２          浴槽側フロア（分割フロア）
３，４      縦面部
５          ビス
６          点検口
７          側壁
８          底面
９          壁建て面
１０        レール状部材
１０ａ      レール状部材凸部
１１        凹溝
１２        ビス
１３        壁パネル
１３ａ      壁パネル凹部
１４        止水部材
１５，１６  シーリング材
【図１】
2005179907.tif 000003
【図２】
2005179907.tif 000004
【図３】
2005179907.tif 000005
【図４】
2005179907.tif 000006
【図５】
2005179907.tif 000007
【図６】
2005179907.tif 000008
【図７】
2005179907.tif 000009
【図８】
2005179907.tif 000010
【図９】
2005179907.tif 000011